(57)【要約】      （修正有）【課題】組合せ操作が便利で、レンズ搭載フレームの３次元調整により、精確な定位を簡単に達成でき、映像をより明晰にすることができ、検査の効果を向上させられる調整可能なデジタル顕微鏡の構造を提供する。【解決手段】調整可能なデジタル顕微鏡の構造は、レンズ１、底台２、指先定位ブロック、レンズ搭載フレーム４を備え、レンズ１は外殻を備え、外殻を手で持つことができ、内部に構成部材を収容設置し、外殻はさらにレンズユニットを保護する頭蓋を設置し、焦点調節機構１３と作動機構とは外殻中に収容し、レンズユニットと映像取り込み部品に、微妙な移動運動を提供し、応用時には、レンズ１は底台２のレンズ搭載フレーム４上に組み合わせるため、操作が便利で、検査を待つ手の不動を保持することができる。【選択図】図１
0003157776.tif 000002
【実用新案登録請求の範囲】
【請求項１】
レンズ、底台、指先定位ブロック、レンズ搭載フレームを備え、
前記レンズは、外殻を備え、
前記外殻を手で持つことができ、内部に構成部材を収容設置し、前記外殻はさらに、頭蓋、焦点調節機構、作動機構を設置し、
前記頭蓋は、レンズユニットを保護し、
前記焦点調節機構と前記作動機構とは、前記外殻中に収容し、
前記焦点調節機構には、調節部品を設置し、焦点距離を調整し、
前記作動機構は、嵌接部、レンズユニット、映像取り込み部品を備え、
前記調整部品は、ネジ孔、小歯車、押しボタンとすることができ、
前記嵌接部は、前記調整部品に対応して、ネジヤマ、ネジ歯車、小歯車列、固定接続棒とすることができ、
前記焦点調節機構と前記嵌接部との対応を通して、前記レンズユニットと前記映像取り込み部品に、微妙な移動運動を提供することを特徴とする調整可能なデジタル顕微鏡の構造。
【請求項２】
前記レンズ上には、反射防止調整機構を設置し、
前記反射防止調整機構は、外に露出した調整棒により、内部のレンズ中に設置する可動発光回路板を動かし構成することを特徴とする請求項１に記載の調整可能なデジタル顕微鏡の構造。
【請求項３】
前記底台は、固定された不動の台面で、前記底台の後方には、立片を設置し、
指先定位ブロックは、前記底台の台面上に設置し、前記指先定位ブロックの前半部分には、窪んだ指収容位置を備え、
前記レンズ搭載フレームは、レンズを固定し、その後部は、前記立片上に可動状態で設置し、空間を開けて跨いだ状態で、前記指先定位ブロック上において設置し、
水平旋回動機構は、前記レンズ搭載フレーム上に設置し、その内旋回片は、外に露出した調整棒を備え、これにより動かすことができ、前記内旋回片上には、中心が偏った設置孔を設置し、これに前記レンズを嵌めて組合せ、
昇降調整機構は、前記底台の立片と前記レンズ搭載フレームとの間に設置し、その末端には、レバー或いはダイヤルを設置し、これにより動かすことができ、
前後調整機構は、前記底台の立片と前記レンズ搭載フレームとの間に設置し、その傍らには、ダイヤルを設置し、これにより動かすことができ、
こうして、検査時には、前記レンズ搭載フレームの３次元調整により、簡単に精確な定位を達成することができ、検査効果を向上させられることを特徴とする請求項１に記載の調整可能なデジタル顕微鏡の構造。
【請求項４】
前記底台の台面上には、穿孔を設置し、
前記指先定位ブロックの後半下方には、固定孔を設置し、ネジにより貫通して、台面上に螺合して固定することを特徴とする請求項３に記載の調整可能なデジタル顕微鏡の構造。
【請求項５】
前記指先定位ブロックの指収容位置上にはさらに、ライトを設置し、
前記ライトは、穿孔内にLEDライトを設置し、下方には、蓋を備える電池室を設置して構成することを特徴とする請求項３に記載の調整可能なデジタル顕微鏡の構造。
【請求項６】
前記指収容位置の上端にはさらに、浅階を設置し、これにスライドガラスを置くことができ、これにより他の顕微鏡検査に応用することができることを特徴とする請求項３に記載の調整可能なデジタル顕微鏡の構造。
【請求項７】
前記水平旋回動機構は、前記レンズ搭載フレーム上の外枠、及び１組の内旋回片を備え、前記外枠側辺には、長孔を開設し、前記長孔には、調整棒を挿入して、前記内旋回片の側辺に螺接することを特徴とする請求項３に記載の調整可能なデジタル顕微鏡の構造。
【請求項８】
前記内旋回片の中心が偏った設置孔辺には、閉鎖片を可動状態で設置し、これにより前記レンズを固定することを特徴とする請求項７に記載の調整可能なデジタル顕微鏡の構造。
【請求項９】
前記昇降調整機構はさらに、前記底台の立片の中央面上の適当な位置に設置する貫通状のネジ孔を備え、その上は、ネジにより、レバーを螺接し、
前記立片両辺の枢孔上には、ピボットにより、可動ブロックを接続し、
前記レバーを回すと、前記ネジを螺接する頭部を用いて、前記可動ブロックの相対する背面部を押して動かすことを特徴とする請求項３に記載の調整可能なデジタル顕微鏡の構造。
【請求項１０】
前記前後調整機構は、前記レンズ搭載フレームの後方を、前記可動ブロック上に搭載し、両者には、それぞれ槽とレールを相互に設置してガイドし、可動状態を呈し、
前記可動ブロック上には、軸孔を設置し、シャフトを通して接続し、
前記シャフトの両辺には、ダイヤルを設置し、調整可能とし、前記シャフトの中央部には、ウォームホイールを設置し、前記レンズ搭載フレーム下に設置する歯車列と相互に噛み合い接続することを特徴とする請求項３に記載の調整可能なデジタル顕微鏡の構造。
【考案の詳細な説明】
【技術分野】
【０００１】
本考案は調整可能なデジタル顕微鏡の構造に関し、特に組合せ操作が便利で、レンズ搭載フレームの３次元調整により、精確な定位を簡単に達成でき、しかも反射防止設計を備えるため、映像をより明晰にすることができ、検査の効果を向上させられる調整可能なデジタル顕微鏡の構造に関する。
【背景技術】
【０００２】
爪は、心臓病、肺病、肝臓病、糖尿病などの体内に潜んでいる多くの健康に関する問題映し出す鏡である。
これら疾病は、爪の成長、外観、色などに影響を及ぼす。
後爪郭は、爪根に位置するひだ状の皮膚で、微循環観察に適した部位である。
後爪郭の形態を医学的に観察することで、生理状態に関連する重要な情報を得ることができる。
そのため既に業界では、後爪郭の形態を観察可能な検査機器が開発されている。
これにより、微循環に関する各指標を観察することで、人体が発している生理情報を受け取り、疾病の兆候と内臓への影響を検査することができる。
【０００３】
従来の検査機器では、上方のレンズの多くは固定式で、調整機構は検査台上に設置する。
その構造は、底台上の指先定位ブロックに窪みを設置し、指を合わせて置けるようになってはいるが、応用の際に焦点の調整を行う時には、検査台上に置いた指もそれに従い移動するため、移動の過程において偏移、揺れが生じ易い。
よって、短時間内に精確に位置を合わせるのが困難である。  
本考案は、従来の顕微鏡構造の上記した欠点に鑑みてなされたものである。
【考案の概要】
【考案が解決しようとする課題】
【０００４】
本考案が解決しようとする課題は、組合せ操作が便利で、レンズ搭載フレームの３次元調整により、精確な定位を簡単に達成でき、しかも反射防止設計を備えるため、映像をより明晰にすることができ、検査の効果を向上させられる調整可能なデジタル顕微鏡の構造を提供することである。
【課題を解決するための手段】
【０００５】
上記課題を解決するため、本考案は下記の調整可能なデジタル顕微鏡の構造を提供する。
調整可能なデジタル顕微鏡の構造は、レンズ、底台、指先定位ブロック、レンズ搭載フレームを備え、
該レンズは外殻を備え、該外殻を手で持つことができ、内部に構成部材を収容設置し、該外殻中に収容する焦点調節機構と作動機構を備え、
該外殻は、さらにレンズユニットを保護する頭蓋を設置し、該レンズ上には、反射防止調整機構を増設することができ、
応用時には、該レンズは、該底台のレンズ搭載フレーム上に組み合わせるため、操作が便利で、検査を待つ手の不動を保持することができ、
該レンズ搭載フレームの３次元調整により、精確な定位を簡単に達成でき、しかも反射防止設計を備えるため、映像をより明晰にすることができ、検査の効果を向上させられる。
【考案の効果】
【０００６】
本考案調整可能なデジタル顕微鏡の構造は、組合せ操作が便利で、レンズ搭載フレームの３次元調整により、精確な定位を簡単に達成でき、しかも反射防止設計を備えるため、映像をより明晰にすることができ、検査の効果を向上させることができる。
【図面の簡単な説明】
【０００７】
【図１】本考案の平面組合せ断面図である。
【図２】本考案レンズの外観立体模式図である。
【図３】本考案の各種異なるレンズ調節部品と嵌接部の模式図である。
【図４】本考案の各種異なるレンズ調節部品と嵌接部の模式図である。
【図５】本考案の各種異なるレンズ調節部品と嵌接部の模式図である。
【図６】本考案の各種異なるレンズ調節部品と嵌接部の模式図である。
【図７】本考案の各種異なるレンズ調節部品と嵌接部の模式図である。
【図８】本考案の立体分解図である。
【図９】本考案レンズ組み立ての模式図である。
【図１０】本考案水平旋回動機構の動作模式図である。
【図１１】本考案昇降調整機構の動作模式図である。
【図１２】本考案前後調整機構の動作模式図である。
【図１３】本考案の別の実施例の模式図である。
【図１４】本考案反射防止機構の局部断面図である。
【考案を実施するための形態】
【０００８】
以下に図面を参照しながら本考案を実施するための最良の形態について詳細に説明する。
【０００９】
図１〜９に示すように、本考案調整可能なデジタル顕微鏡の構造は、レンズ１、底台２、指先定位ブロック３、レンズ搭載フレーム４を備える。
【００１０】
レンズ１は、外殻１０を備える。
外殻１０は、手で持つための手持ち部１１を備え、内部に構成部材を収容設置することができる。
外殻１０はさらに、頭蓋１２、焦点調節機構１３、作動機構１４を設置する。
頭蓋１２は、レンズユニット１４２を保護する。
焦点調節機構１３と作動機構１４とは、外殻１０中に収容する。
焦点調節機構１３には、調節部品１３１を設置し、焦点距離を調整する。
作動機構１４は、嵌接部１４１、レンズユニット１４２、映像取り込み部品１４３を備える。
焦点調節機構１３と嵌接部１４１との対応を通して、レンズユニット１４２と映像取り込み部品１４３に、微妙な移動運動を提供する。
【００１１】
実施時には、作動機構１４の嵌接部１４１は、レンズユニット１４２上に設置する。
調節部品１３１の回転動により、レンズユニット１４２は移動を生じ、こうして焦点距離を調整することができる。
調整部品１３１は、ネジ孔(図３〜５参照)、小歯車(図６参照)、押しボタン(図７参照)とすることができる。
嵌接部１４１は、調整部品１３１に対応して、ネジヤマ(図３参照)、ネジ歯車(４、５参照)、小歯車列(図６参照)、固定接続棒(図７参照)とすることができる。
【００１２】
レンズ１は、手で持ち応用する他に、底台２上に設置して組み合わせることができる。
底台２は、固定された不動の台面である。
指先定位ブロック３は、底台２台面上に設置する。
レンズ搭載フレーム４は、指先定位ブロック３上において、空間を開けて跨いだ状態で設置する。
レンズ搭載フレーム４上には、水平旋回動機構５を設置する。
底台２とレンズ搭載フレーム４との間には、昇降調整機構６、前後調整機構７を設置する。
【００１３】
底台２の台面上には、穿孔２１を設置する。
底台２の後方には、立片２２を設置し、その上端の両辺には、枢孔２３を設置する。
指先定位ブロック３の前半部分は、内部へと窪んだ指収容位置３１を備える。
指先定位ブロック３の後半下方には、固定孔３２を設置し、ネジ３３により穿孔２１を貫通して、底台２の台面上に螺合して固定する。
図１に示すように、指先定位ブロック３の指収容位置３１上にはさらに、ライト３０を設置する。
ライト３０は、穿孔３４内にLEDライト３５を設置し、下方には、蓋を備える電池室３６を設置して構成し、照射を強化し、良好な検査用ライトを提供することができる。
指収容位置３１の上端には、浅階３７を設置し、これにスライドガラス３８を置くことができ、これによりデジタル顕微鏡は、爪の検査を行うことができる他、他の顕微鏡検査に応用することができる。
【００１４】
図８〜１０に示すように、水平旋回動機構５について説明する。
レンズ搭載フレーム４は、外枠４１と内旋回片４２を対応させて組合せ構成する。
外枠４１側辺には、長孔５１を開設する。
長孔５１には、調整棒５２を挿入して、内旋回片４２の側辺に螺接する。
内旋回片４２上には、中心が偏った設置孔４５を設置し、これにレンズ１の位置を合わせて挿入することができる。
設置孔４５辺には、閉鎖片４６を可動状態で設置し、旋回可能で、レンズ１を固定する。
組合せ後は、調整棒５２を動かし、内旋回片４２をこれに従い旋回させ、その上の中心が偏った状態で設置されるレンズ１は、相対的な水平旋回動を生じ、位置を調整することができる。
【００１５】
図８、１１に示すように、昇降調整機構６について説明する。
底台２の立片２２の中央面上の適当な位置には、貫通状のネジ孔６１を設置し、その上は、ネジ６２により、レバー６３を螺接する。
立片２２両辺の枢孔２３上には、ピボット６４により、可動ブロック６５を接続する。
これにより、レバー６３が回転すると、ネジ６２を螺接する頭部６２１を用いて、可動ブロック６５の相対する背面部を押して動かすことができ、レンズ搭載フレーム４上のレンズ１は、相対的な昇降調整を行うことができる。
また、実際の製造時には、ネジ孔６１上に、ダイヤル６６(図１３参照)を直接螺接して達成することができる。
【００１６】
図８、１２に示すように、前後調整機構７について説明する。
レンズ搭載フレーム４の後方を、可動ブロック６５上に搭載する。
両者には、それぞれ槽７１１とレール７１２を相互に設置してガイドするため、レンズ搭載フレーム４は可動状を呈する。
可動ブロック６５上には、レール孔７２を設置し、シャフト７３を通して接続する。
シャフト７３の両辺には、ダイヤル７４を設置し、調整可能とし、シャフト７３の中央部には、ウォームホイール７５を設置し、レンズ搭載フレーム４下に設置する歯車列７６と相互に噛み合い接続する。
こうして、ダイヤル７４を動かすと、レンズ搭載フレーム４上のレンズ１は、相対的に前後に移動して調整可能となる。
【００１７】
図１、８、９に示すように、全体構造の組合せ後には、レンズ１は分解可能となる。
すなわち応用時には、レンズ１の位置を合わせて内旋回片４２の設置孔４５に挿入するだけで、設置孔４５辺に可動状態で設置する閉鎖片４６を用いて、レンズ１を迅速に組み合わせて固定することができる。
指先定位ブロック３は、底台２の台面上に可動状態で接続されるため、検査時には、検査を待つ指を、内部へと窪んだ指収容位置３１に置いた(図示なし)後も、指先定位ブロック３を動かして、自身で微調整を行うことができる。
この後、検査を待つ指は、不動を保持する。
【００１８】
上記したように、本考案は、レンズ搭載フレーム４上の３次元調整により、簡単に精確な定位を達成することができる。
レンズ搭載フレーム４の外への露出を調整する調整棒５２は、水平旋回動機構５を作動させることができ、これにより、レンズ搭載フレーム４上に設置するレンズ１は、水平旋回調整効果を生じる(図１０参照)。
調整レバー６３或いはダイヤル６６は、底台２に設置する立片２２とレンズ搭載フレーム４との間の昇降調整機構６を作動させ、これにより、レンズ１は昇降調整効果を生じる(図１１、或いは１３参照)。
ダイヤル７４を調整することで、底台２とレンズ搭載フレーム４との間の前後調整機構７を作動させ、これにより、それに設置するレンズ１は、前後への調整効果を生じる(図１２参照)。
すなわち、本考案は操作が非常に便利で、レンズ１の調整と定位を迅速に行なうことができる。
【００１９】
図１３、１４に示すように、レンズ１上には、反射防止調整機構１０１を増設することができる。
反射防止調整機構１０１は、外に露出した調整棒１０２により、内部のレンズ１中に設置する可動発光回路板１０３を動かし、光の反射現象の発生を回避することができる。
こうして、映像をより明晰とし、検査効果を向上させることができる。
【００２０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２１】
本考案は空間形態において新規性を備え、従来の同類製品に比べ十分な進歩を有し、実用新案の要件を満たしている。また、実用性が高く、社会のニーズに合致しており、産業上の利用価値は非常に大きい。
【符号の説明】
【００２２】
１  レンズ
１０  外殻
１１  手持ち部
１２  頭蓋
１３  焦点調節機構
１３１  調節部品
１４  作動機構
１４１  嵌接部
１４２  レンズユニット
１４３  映像取り込み部品
１０１  反射防止調整機構
１０２  調整棒
１０３  発光回路板
２  底台
２１  穿孔
２２  立片
２３  枢孔
３  指先定位ブロック
３０  ライト
３１  指収容位置
３２  固定孔
３３  ネジ
３４  穿孔
３５  LEDライト
３６  電池室
３７  浅階
３８  スライドガラス
４  レンズ搭載フレーム
４１  外枠
４２  内旋回片
４５  設置孔
４６  閉鎖片
５  水平旋回動機構
５１  長孔
５２  調整棒
６  昇降調整機構
６１  ネジ孔
６２  ネジ
６２１  頭部
６３  レバー
６４  ピボット
６５  可動ブロック
６６  ダイヤル
７  前後調整機構
７１１  槽
７１２  レール
７２  レール孔
７３  シャフト
７４  ダイヤル
７５  ウォームホイール
７６  歯車列
【図１】
0003157776.tif 000003
【図２】
0003157776.tif 000004
【図３】
0003157776.tif 000005
【図４】
0003157776.tif 000006
【図５】
0003157776.tif 000007
【図６】
0003157776.tif 000008
【図７】
0003157776.tif 000009
【図８】
0003157776.tif 000010
【図９】
0003157776.tif 000011
【図１０】
0003157776.tif 000012
【図１１】
0003157776.tif 000013
【図１２】
0003157776.tif 000014
【図１３】
0003157776.tif 000015
【図１４】
0003157776.tif 000016
【手続補正書】
【提出日】平成21年12月14日(2009.12.14)
【手続補正１】
【補正対象書類名】実用新案登録請求の範囲
【補正対象項目名】請求項１
【補正方法】変更
【補正の内容】
【請求項１】
レンズ、底台、指先定位ブロック、レンズ搭載フレームを備え、
前記レンズは、外殻を備え、
前記外殻を手で持つことができ、内部に構成部材を収容設置し、前記外殻はさらに、頭蓋、焦点調節機構、作動機構を設置し、
前記頭蓋は、レンズユニットを保護し、
前記焦点調節機構と前記作動機構とは、前記外殻中に収容し、
前記焦点調節機構には、調節部品を設置し、焦点距離を調整し、
前記作動機構は、嵌接部、レンズユニット、映像取り込み部品を備え、
前記調節部品は、ネジ孔、小歯車、押しボタンとすることができ、
前記嵌接部は、前記調節部品に対応して、ネジヤマ、ネジ歯車、小歯車列、固定接続棒とすることができ、
前記焦点調節機構と前記嵌接部との対応を通して、前記レンズユニットと前記映像取り込み部品に、微妙な移動運動を提供することを特徴とする調整可能なデジタル顕微鏡の構造。